(57)【要約】【課題】タンクの温度上昇を抑制可能な電解装置を提供する。【解決手段】タンク１、電極板２、および電極板３を備える。タンク１は、少なくとも１つの内壁１０により遮断されている少なくとも２つの収納溝１１を有する。２つの収納溝１１はタンク内で互いに連通していない。タンク１は、互いに対向する外壁１２を有する。収納溝１１には電解液が収容されている。電極板２は、内壁１０に設けられており、内壁１０の両側の収納溝１１に突出している。電極板３は、外壁１２に設けられており、タンク１の収納溝１１内に突出し、外壁１２の収納溝１１とは反対側に突出している接続部３０を有する。【選択図】図１
0003185030.tif 000002
【実用新案登録請求の範囲】
【請求項１】
少なくとも１つの内壁により遮断されている少なくとも２つの収納溝を有し、互いに対向する外壁を有し、前記収納溝に電解液が収容されているタンクと、
前記内壁に設けられており、前記内壁の両側の前記収納溝に突出している第一電極板と、
前記外壁に設けられており、前記タンクの前記収納溝内に突出し、前記外壁の前記収納溝とは反対側に突出している接続部を有する２つの第二電極板と、を備え、
２つの前記第二電極板の前記接続部は、それぞれ電源の異なる電極に電気的に接続されており、同じ前記収納溝内での前記第一電極板と前記第二電極板との間の前記電解液が電離することを特徴とする電解装置。
【請求項２】
前記第一電極板は、前記内壁の鉛直方向において、前記電解液の液面の下側に設けられていることを特徴とする請求項１に記載の電解装置。
【請求項３】
前記第一電極板は結合部を有し、
前記結合部は、前記内壁の鉛直方向において、前記電解液の液面の上側に設けられていることを特徴とする請求項１に記載の電解装置。
【請求項４】
複数の外壁および内壁により囲まれ電解液を収容する少なくとも３つの収納溝を有し、前記収納溝が環状に配置されており、前記内壁により囲まれている中空部を有するタンクと、
前記中空部を跨るよう互い隣り合う前記内壁に設けられており、互いに隣接する前記収納溝に突出している複数の電極板と、を備え、
複数の前記電極板のうち、少なくとも２つの前記電極板に、前記外壁の前記収納溝とは反対側に突出している接続部が形成されており、
２つの前記接続部は、電源の異なる電極に接続されており、同じ前記収納溝内での二つの前記電極板の間の前記電解液が電離することを特徴とする電解装置。
【請求項５】
前記電極板は、前記側壁の鉛直方向において、前記電解液の液面の下側に設けられていることを特徴とする請求項４に記載の電解装置。
【請求項６】
前記電極板は結合部を有し、
前記結合部は、前記側壁の鉛直方向において、前記電解液の液面の上側に設けられていることを特徴とする請求項４に記載の電解装置。  
【考案の詳細な説明】
【技術分野】
【０００１】
本考案は、電解装置に関する。
【背景技術】
【０００２】
図７に示す従来の電解装置は、タンク９０中に直列で電気的に接続される複数の電極板９１が設けられており、タンク９０の外側の両端は電源の異なる２つの電極に電気的に接続され、通電後に電極板９１が導電されることで電解を行う。
【考案の概要】
【考案が解決しようとする課題】
【０００３】
しかしながら、前述した従来の技術では、複数の電極板９１が同じタンク９０中に設置されているため、複数枚の電極板９１をタンク９０内に設置することが煩雑であり、複数枚の電極板９１が電源に接続されるとタンク９０内で電解が始まる。その際、電解液はタンク９０内での電解作用により高温になるため、温度を適切に制御しないと、タンクが高温になり、作業員の火傷を招くおそれがある
【０００４】
そこで、本発明者は上記の欠点が改善可能と考え、鋭意検討を重ねた結果、合理的かつ効果的に課題を改善する本発明の提案に到った。
【０００５】
本考案は、上述の問題に鑑みてなされたものであり、タンクの温度上昇を抑制可能な電解装置を提供することを主目的とする。
【課題を解決するための手段】
【０００６】
上述した課題を解決するために、本考案の電解装置は、タンク、第一電極板、および二枚の第二電極板を備える。タンクは、少なくとも１つの内壁により遮断されている少なくとも２つの収納溝を有し、互いに対向する外壁を有し、収納溝に電解液が収容されている。
第一電極板は、内壁に設けられており、内壁の両側の収納溝に突出している。
第二電極板は、外壁に設けられており、タンクの収納溝内に突出し、外壁の収納溝とは反対側に突出している接続部を有する。
第二電極板の接続部は、それぞれ電源の異なる電極に電気的に接続されており、同じ収納溝内での第一電極板と第二電極板との間の電解液が電離する。
【０００７】
本考案では、タンク内の電解液が電解する時にタンクが高温になることを抑制することができ、作業員の火傷及び物品の損壊を抑制することができる。
【図面の簡単な説明】
【０００８】
【図１】本考案の第一実施形態による電解装置を示す模式図である。
【図２】図１の２−２線断面図である。
【図３】本考案の第二実施形態による電解装置を示す模式図である。
【図４】図３の４−４線断面図である。
【図５】本考案の第三実施形態による電解装置を示す模式図である。
【図６】図５の６−６線断面図である。
【図７】従来の電解装置を示す模式図である。
【考案を実施するための形態】
【０００９】
以下、図面を参照して、本考案の実施形態について、詳細に説明する。なお、本考案は、以下の実施形態に限定されるものではない。
（第一実施形態）
本考案の第一実施形態による電解装置について説明する。
本実施形態の構成を図１、図２に示す。ここで、図１、２は、本実施形態の構造を説明するためのものであり、本考案の構造を制限するものではない。
本実施形態による電解装置を図１に示す。電解装置は、タンク１、電極板２、および電極板３を備える。タンク１は、少なくとも１つの内壁１０により遮断されている少なくとも２つの収納溝１１を有する。２つの収納溝１１はタンク内で互いに連通していない。タンク１は、互いに対向する外壁１２を有する。収納溝１１には電解液が収容されている。電極板２は、内壁１０に設けられており、内壁１０の両側の収納溝１１に突出している。
【００１０】
図２に示すように、本実施形態では電極板２は、内壁１０の鉛直方向において、電解液の液面の下側に設けられている。電極板３は、外壁１２に設けられており、タンク１の収納溝１１内に突出し、外壁１２の収納溝１１とは反対側に突出している接続部３０を有する。２つの接続部３０は、電源の異なる電極にそれぞれ電気的に接続されている。本実施形態では、図中の左側の接続部３０が直流電源の正極に電気的に接続され、図中の右側の接続部３０が直流電源の負極に電気的に接続されている。電極板３は、収納溝１１内で電極板２と隣接している。
【００１１】
図１に示すように、前述の直流電源が導通する時、電流は電気的に接続される直流電源の正極の接続部３０から電極板３のある収納溝１１に流れ、同じ収納溝１１内で電極板３から電極板２まで流れ、電極板２から他の収納溝１１中の電極板３まで流れる。電流は電気的に接続されている直流電源の負極の接続部３０から流れ、２つの収納溝１１内で電極板２と電極板３との間の電解液が電離する。
【００１２】
本実施形態では、複数枚の電極板により各収納溝内の電解液が電離するため、従来のように同じタンクの中で高温が発生することはなく、各収納溝により熱を分散することができ、電極板の数に応じて収納溝を設け電極板を分散することで、タンクが高温になることを抑制することができる。
【００１３】
（第二実施形態）
次は、本考案の第二実施形態による電解装置について説明する。
本考案の第二実施形態の電解装置を図３に示す。タンク４は、３枚の内壁４０により４つの収納溝４１が形成されている、第一実施形態と同様に４つの収納溝４１はタンク４内で連通されていない。タンク４は互いに対向する外壁４２を有する。内壁４０には、第一電極板５が両側の収納溝４１に突出するよう設けられている。タンク４の外壁４２には、収納溝４１内に突出している第二電極板６が設けられている。２枚の電極板６は、外壁４２の収納溝４１とは反対側に突出している接続部６０が形成されている。
【００１４】
図４に示すように、電極板５には結合部５０が形成されている。結合部５０は、内壁４０の鉛直方向において、電解液の液面の上側に設けられている。電解液が収納溝４１に注入されると結合部５０は電解液の液面から露出する。電極板５の結合部５０は内壁４０に嵌装されている。隣接する２つの収納溝４１の間には電極板５が嵌装されていないため、２つの収納溝４１の間は連通されておらず、電解時に電離が収納溝４１の間で解離して電解効率に影響を与えることを抑制する。
【００１５】
（第三実施形態）
次は、本考案の第三実施形態による電解装置について説明する。
本考案の第三実施形態の構成を図５、図６に示す。本実施形態では４つの収納溝７０によりタンク７が構成される。各収納溝７０には電解液が収容されている。収納溝７０は、複数の側壁７１により囲まれており、互いに連通されていない。４つの収納溝７０は環状に配列されている。内側の側壁７１は中空部７２を形成する。ここで、内側の側壁７１は、実用新案登録請求の範囲における「内壁」に対応している。中空部７２は４つの収納溝７０に囲まれ、中央に位置している。隣接する何れか２つの収納溝７０には、中空部７２を跨ぎ、２つの収納溝７０内に突出している電極板８が設けられている。本実施形態の各電極板８は、側壁７１の鉛直方向において、電解液の液面の下側に設けられている。
【００１６】
本実施形態では、図５の上方に位置する収納溝７０内の２枚の電極板８は、側壁７１の収納溝７０とは反対側に突出する接続部８０を有する。２つの接続部８０は、電源の異なる電極にそれぞれ接続されている。本実施形態では、図５の左側に位置する接続部８０は直流電源の正極に電気的に接続され、図５の右側に位置する接続部８０は直流電源の負極に電気的に接続されている。何れか２つの隣接する電極板８は、同じ収納溝７０内で電解液を電離する。よって、第一実施形態と同様の効果を得ることができる。
【００１７】
また、各電極板８は、第二実施形態と同様の構造を有し、結合部により側壁７１に嵌装されている。隣接する２つの収納溝７０の間には電極板８が嵌装されておらず、２つの収納溝７０が連通されないため、第二実施形態と同様に収納溝７０の間で解離することで電解効率に影響を与えることを抑制することができる。
【００１８】
さらに、４つの収納溝７０は複数のタンクに形成されてもよい。収納溝７０は、環状に配列され、中空部を形成し、複数の電極板が設置されておれば上述の実施形態と同様の効果を得ることができる。
【００１９】
以上、本考案の実施形態について図面を参照して詳述したが、具体的な構成は、上述された実施形態に限られるものではなく、本考案の要旨を逸脱しない範囲の設計変更等も含まれる。
【符号の説明】
【００２０】
１・・・タンク、
１０・・・内壁、
１１・・・収納溝、
１２・・・外壁、
２・・・電極板（第一電極板）、
３・・・電極板（第二電極板）、
３０・・・接続部、
４・・・タンク、
４０・・・内壁、
４１・・・収納溝、
４２・・・外壁、
５・・・電極板、
５０・・・結合部、
６・・・電極板、
６０・・・接続部、
７・・・タンク、
７０・・・収納溝、
７１・・・側壁（外壁、内壁）、
７２・・・中空部、
８・・・電極板、
８０・・・接続部。
【図１】
0003185030.tif 000003
【図２】
0003185030.tif 000004
【図３】
0003185030.tif 000005
【図４】
0003185030.tif 000006
【図５】
0003185030.tif 000007
【図６】
0003185030.tif 000008
【図７】
0003185030.tif 000009